(57)【要約】【課題】リモコンのボタンで容易に地上波デジタル放送チャンネルにも切換えることができるようにしたデジタル放送受信装置を提供すること。【解決手段】地上波アナログ放送と衛星デジタル放送及び地上波デジタル放送の受信に対応したデジタル放送受信装置のリモコン１００において、地上波アナログ放送と地上波デジタル放送の切換えが、地上波デジタル放送開始後は放送切換ボタンＢにより行なえるようにしたもの。【選択図】　図１
2004147066.tif 000002
【特許請求の範囲】
【請求項１】
遠隔操作用の端末機器により選局操作され、地上波アナログ放送と衛星デジタル放送及び地上波デジタル放送の受信に対応したデジタル放送受信装置において、
前記端末機器が放送切換ボタンを備え、
前記地上波アナログ放送と地上波デジタル放送の切換操作が、前記放送切換ボタンの操作により与えられるように構成したことを特徴とするデジタル放送受信装置。
【請求項２】
請求項１に記載のデジタル放送受信装置において、
前記端末機器が複数群の数字キー配列を備え、
前記放送切換ボタンが押下された際の操作対象が、前記複数の数字キー配列のそれぞれに切換えられるように構成されていることを特徴とするデジタル放送受信装置。
【請求項３】
請求項２に記載のデジタル放送受信装置において、
前記複数群の数字キー配列が第１の数字キー配列と第２の数字キー配列からなり、
前記第１の数字キー配列は、前記放送切換ボタンによりアナログ地上波とデジタル地上波のチャンネルを切換え、前記第２の数字キー配列は、前放送切換ボタンにより衛星の各ネットワークサービスのチャンネルを切換えることを特徴とするデジタル放送受信装置。
【請求項４】
請求項２又は請求項３に記載のデジタル放送受信装置において、
放送ネットワーク毎に前記数字キー配列により選局されたチャンネル情報を格納するチャンネル情報格納手段を設け、
前記放送切換ボタンを押すことにより切換えられる放送ネットワークの設定チャンネルが、選択された放送ネットワークの前記チャンネル情報格納手段に格納されている最新のチャンネル情報により設定されることを特徴とするデジタル放送受信装置。
【請求項５】
請求項２又は請求項３に記載のデジタル放送受信装置において、
現在視聴している放送ネットワークを選局する数字キー配列と異なる数字キー配列の数字キーが押された際は、前記押された数字キー配列で選局されるネットワークの指定されたチャンネルに選局されることを特徴とするデジタル放送受信装置。
【請求項６】
請求項５に記載のデジタル放送受信装置において、
前記複数の数字キー配列毎に制御可能な放送ネットワークのネットワーク情報を格納するネットワーク情報格納手段を設け、
現在視聴している放送ネットワークを選局した数字キー配列と異なる数字キー配列の数字キーが押された際は、
前記押された数字キー配列のネットワーク情報格納手段に格納されている最新の放送ネットワークが選択されることを特徴とするデジタル放送受信装置。
【発明の詳細な説明】
【０００１】
【発明の属する技術分野】
本発明は、従来の地上波アナログ放送に加えて衛星デジタル放送も受信できるようにしたデジタル放送受信装置における遠隔操作に係り、特に地上波デジタル放送の開始に際して有用なデジタル放送受信装置に関する。
【０００２】
【従来の技術】
近年、従来のアナログ放送に加えて地上波によるデジタル放送が実運用化の機運にある。ここで、この地上波デジタル放送も、やがてはＢＳ（放送衛星）やＣＳ（通信用衛星）と呼ばれる衛星デジタル放送に取って代わられる趨勢にあるが、しかし、当分は、これらの方式が混在した形の運用にならざるを得ない。
【０００３】
そこで、これに対応して、現行の放送形式にも互換性をもったデジタル放送受信装置が市場に提供されているのが、このとき、視聴者が視聴しようとする番組のチャンネルについて、それが属する放送の種別、すなわち上記した地上波デジタル放送や衛星デジタル放送など夫々の放送の種別（ネットワークという）を意識することなく、容易に選局動作が行えるようにした放送受信装置が望まれる。
【０００４】
そこで、受信装置にチャンネル呼び出し部を設け、チャンネル情報をチャンネルメモリに登録する際、該チャンネル情報と共に、そのネットワーク情報をリンクした形式で登録し、当該登録したチャンネルが呼び出された際には、チャンネル検索部で当該チャンネルの検索を行なうと共に、該チャンネルの所属を示すネットワーク情報がネットワーク検索部で検出され、制御部は、これらチャンネル情報及びネットワーク情報を用いてネットワーク切換制御部とチャンネル選択部を制御する技術が従来から知られている（例えば、特許文献１参照。）。
【０００５】
一方、複数の放送カテゴリに亘って放送チャンネルの選局を行なうため、地上波アナログ放送とＢＳデジタル放送又はＢＳデジタル放送のテレビ／ラジオ／データを、リモコン（リモートコントローラ：遠隔操作用の端末機器）に設けてある夫々のキーで直接切換える技術も従来から知られている（例えば、特許文献２参照。）。
【０００６】
更に、各放送局に対応した放送局キーを設けることにより、放送されるチャンネル数が時間帯によって変更されているという、いわゆるまだら編成のプログラムによる放送チャンネルについても早いスピードで選局することができ、操作性に優れた選局ができるようにしたデジタル放送受信機も、従来から知られている（例えば、特許文献３参照。）。
【０００７】
ここで、従来技術によるこの種のデジタル放送受信装置では、通常、図４に示すように、各種のボタン（押しボタン）が設けられているリモコン４０を備え、これをユーザが使用することにより、放送受信に必要な各種の操作が遠隔操作できるようになっている。
【０００８】
更に、この種のデジタル放送受信装置には、従来からの地上波アナログ受信部も一体に内蔵されている機種があるが、この場合は、図４に示すように、地上波アナログ放送用と衛星デジタル放送用に独立して、数字キー配列（テンキー）からなる選局ボタンが２組、装備されているリモコン４０が使用される。
【０００９】
そして、この図４のリモコン４０では、上側に並んでいる円形のボタンからなる数字キー配列が、図示されているように、地上波アナログ放送用、つまりアナログ放送選局ボタンで、下側に並んでいる楕円形のボタンからなる数字キー配列が衛星デジタル放送選局ボタンである。
【００１０】
ところで、地上波デジタル放送が開始された場合には、この地上波デジタル放送の受信にも装置が対応でき、地上波アナログ放送と衛星デジタルに加えて、地上波デジタル放送もリモコン４０により遠隔操作できることが望ましい。
【００１１】
そこで、この種の受信装置では、近い将来での地上波デジタル放送の運用開始を想定し、地上波デジタル放送の受信にも対応できるようにしたものがあり、このときに備えて、図４に示したリモコン４０では、更に放送切換ボタンＢが設けてある。
【００１２】
ここで、以下、このリモコン４０による従来技術に係るデジタル放送受信装置の動作について、図４に加えて、図５のフローチャートを用いて説明する。
【００１３】
ここで、この図５に示す処理は、受信装置内にあるシステム制御部がリモコン１００から受信した信号に基づいて実行するもので、ユーザがリモコン４０の放送切換ボタンＢを押したとき開始され（Ｓ５０１）、直ちに処理Ｓ５０２に移行する。
【００１４】
そして、この処理Ｓ５０２では、いま現在、地上波アナログ放送と衛星デジタル放送の何れの放送を視聴中（受信中）なのか判断される。なお、この処理Ｓ５０２での判断は、例えばチャンネル選択データを見ることにより、簡単に処理することができる。
【００１５】
そして、まず、地上波アナログ放送を視聴中だった場合はＳ５０４の処理に進み、このまま何も実行せず処理Ｓ５０５に移行し、ここで処理を終了する。
【００１６】
従って、この場合、つまり地上波アナログ放送を視聴しているときは、ユーザは、リモコン４０の上側にあるアナログ放送選局ボタンの操作だけで選局を行なうことになる。
【００１７】
一方、Ｓ５０２の処理で、衛星デジタル放送が視聴中だった場合は、続いてＳ５０３の処理に移行し、ネットワークーの切換処理が行なわれるが、このとき、このＳ５０３での処理は、地上波デジタル放送が開始される前と地上波デジタル放送が開始された後では、処理内容が設定代えされるようになっている。
【００１８】
ここで、このときの処理内容の設定代えは、地上波デジタル放送が開始されたとき実行されるが、このとき、地上波デジタル放送電波の受信により自動的に実行される場合と、マニュアル操作により実行される場合とがある。
【００１９】
そして、まず、地上波デジタル放送が開始される前は、図４（ａ）に「地上波デジタル放送開始前」として示され、図５ではＳ５０３の中に（ａ）として示してあるように、
「ＢＳデジタル→ＣＳ１→ＣＳ２→ＢＳデジタル→……」
と放送切換ボタンＢを１回、押す毎に順送りされ、これが繰り返されるように、制御の内容が設定されている。
【００２０】
従って、この従来技術の場合、地上波デジタル放送が開始される前は、放送切換ボタンＢは、衛星デジタル放送のネットワークを切換える手段として機能が限定されている。
【００２１】
次に、この従来技術の場合、地上波デジタル放送が開始された後は、図４（ｂ）に「地上波デジタル放送開始後」として示され、図５ではＳ５０３の中に（ｂ）として示してあるように、
「ＢＳデジタル→ＣＳ１→ＣＳ２→地上デジタル→ＢＳデジタル→……」
と放送切換ボタンＢを１回、押す毎に送りされ、これが繰り返されるように、制御の内容が設定されていて、このときも、地上波デジタル放送に対する選択は、衛星デジタル放送のネットワークの選択の中に含まれている。
【００２２】
従って、この従来技術の場合、地上波デジタル放送が開始された後も、リモコン４０の放送切換ボタンＢは、依然として衛星デジタル放送のネットワークを切換える手段として機能が限定されている。
【００２３】
【特許文献１】
特開２０００−３１８４８号公報
【００２４】
【特許文献２】
特開２００２−７７７４８号公報（図１のリモコン）
【００２５】
【特許文献３】
特開２００１−８１１７号公報（図２）
【００２６】
【発明が解決しようとする課題】
上記従来技術は、放送ネットワークを意識した切換操作に配慮がされているとは言えず、チャンネル選択の操作性に問題があった。
【００２７】
ここで、通常のユーザ（視聴者）からみると、ＢＳやＣＳなどの衛星デジタル放送については、夫々の放送をネットワーク単位で考えることが多く、このためネットワークの切換えについては、例えば放送切換ボタンといったリモコンなどに設けてあるボタンを用い、実際に視聴したいネットワーク先に切換えることになる。
【００２８】
しかし、このようなＢＳデジタルのネットワークに切換えが可能なデジタル放送受信装置で、地上波デジタル放送の受信に対応した場合、地上波デジタル放送チャンネルに切換えるための操作が煩雑になる虞れがある。
【００２９】
つまり、図４と図５で説明した従来技術の場合、上記したように、地上波デジタル放送が開始された後も、リモコン４０の放送切換ボタンＢは、依然として衛星デジタル放送のネットワークを切換える手段として機能が限定されている。
【００３０】
ここで、通常のユーザは、これも上記したように、夫々の放送をネットワーク単位で考えることが多いので、地上波アナログ放送と地上波デジタル放送については同じく地上波ネットワークに過ぎないとの意識がある。
【００３１】
そうすると、従来技術の場合、放送切換ボタンＢが衛星デジタル放送のネットワークを切換える手段として機能が限定されていることから、地上波アナログ放送を視聴中は、地上波デジタル放送の選択に際しても、放送切換ボタンＢの操作に思いが至らず、そのままアナログ放送選局ボタンの操作だけで対応しようとしてしまう。
【００３２】
しかし、この場合は、そのままでは操作状況に何も変化が得られず、図４（ｂ）に示されているように、地上波デジタル放送の選択にも、別途、放送切換ボタンＢの操作が必要になってしまい、このため、上記したように、地上波デジタル放送に切換えるための操作が煩雑になってしまうのである。
【００３３】
ここで、例えば特許文献１に開示の技術では、ネットワークを意識することなく、放送ネットワークを切換える操作については開示していない。
【００３４】
また、特許文献２と特許文献３に開示の技術でも、放送ネットワークの切換えについては開示が無く、地上アナログ放送と地上デジタル放送の切換えについても開示していない。
【００３５】
本発明は、このような状況に鑑みてなされたもので、その目的は、リモコンのボタンで容易に地上波デジタル放送チャンネルにも切換えることができるようにしたデジタル放送受信装置を提供することにある。
【００３６】
【課題を解決するための手段】
上記目的は、遠隔操作用の端末機器により選局操作され、地上波アナログ放送と衛星デジタル放送及び地上波デジタル放送の受信に対応したデジタル放送受信装置において、前記端末機器が放送切換ボタンを備え、前記地上波アナログ放送と地上波デジタル放送の切換操作が、前記放送切換ボタンの操作により与えられるようにして達成される。
【００３７】
このとき、前記端末機器が複数群の数字キー配列を備え、前記放送切換ボタンが押下された際の操作対象が、前記複数群の数字キー配列のそれぞれに切換えられるようにしても上記目的が達成される。
【００３８】
同じく、このとき、前記複数の数字キー配列が第１の数字キー配列と第２の数字キー配列からなり、前記第１の数字キー配列は、前記放送切換ボタンによりアナログ地上波とデジタル地上波のチャンネルを切換え、前記第２の数字キー配列は、前放送切換ボタンにより衛星の各ネットワークサービスのチャンネルを切換えるようにしても上記目的が達成される。
【００３９】
更に、このとき、放送ネットワーク毎に前記数字キー配列により選局されたチャンネル情報を格納するチャンネル情報格納手段を設け、前記放送切換ボタンを押すことにより切換えられる放送ネットワークの設定チャンネルが、選択された放送ネットワークの前記チャンネル情報格納手段に格納されている最新のチャンネル情報により設定されるようにしてもよい。
【００４０】
同じく、このとき、現在視聴している放送ネットワークを選局する数字キー配列と異なる数字キー配列の数字キーが押された際は、前記押された数字キー配列で選局されるネットワークの指定されたチャンネルに選局されるようにしてもよく、更には、前記複数の数字キー配列毎に制御可能な放送ネットワークのネットワーク情報を格納するネットワーク情報格納手段を設け、現在視聴している放送ネットワークを選局した数字キー配列と異なる数字キー配列の数字キーが押された際は、前記押された数字キー配列のネットワーク情報格納手段に格納されている最新の放送ネットワークが選択されるようにしてもよい。
【００４１】
【発明の実施の形態】
以下、本発明によるデジタル放送受信装置について、図示の実施の形態により詳細に説明する。
【００４２】
図２は本発明の一実施形態で、このデジタル放送受信装置は、図示のように、チューナ処理部１０１と選局処理部１０２、映像音声出力部１０３、システム制御部１０４、放送切換処理部１０５、入力部１０６、チャンネル情報格納手段１０８、それにネットワーク情報格納手段１０９を備えている。
【００４３】
そして、このデジタル放送受信装置もリモコン１００により遠隔操作されるようになっているが、ここで、図１は、この実施形態におけるリモコン１００を示したもので、ボタン配置と外観は、図４で説明した従来技術におけるリモコン４０と同じであり、各ボタンに割り当てられている機能も基本的にはほとんど同じである。
【００４４】
そこで、いま、このリモコン１００がユーザにより操作されたとする。そうすると、リモコン１００から所定の信号が送信され、これが入力部１０６で受信され、システム制御部１０４に必要な処理の指示が伝えられる。
【００４５】
そして、システム制御部１０４は、ユーザからの指示に従い、選局処理部１０２に選局動作を指示し、チューナ処理部１０１を制御して選局動作を行なわせ、ユーザが希望した放送にチャンネルが切換えられるようにする。
【００４６】
この結果、映像音声出力部１０３からユーザが指示したチャンネルの放送番組が出力され、モニタ画面（テレビジョン受像機の画面）に当該選局した放送チャンネルのプログラムが映出されることになる。
【００４７】
次に、図１に加え、図３のフローチャートにより、この実施形態における処理について説明する。
【００４８】
ユーザがリモコン１００の放送切換ボタンＢを押した場合（図３のＳ３０１）、放送切換処理部１０５により地上波放送と衛星放送の何れの放送を視聴中かが判断する（Ｓ３０２）。
【００４９】
そして、衛星デジタル放送を視聴中の場合は、Ｓ３０３のネットワーク切換処理に進み、ネットワークへの切換え行なう。
【００５０】
具体的には、
「ＢＳデジタル→ＣＳ１→ＣＳ２→ＢＳデジタル→……」
と順送りに繰り返し切換えられ、ネットワーク情報格納手段１０９に切換えたネットワークを記憶する。
【００５１】
一方、処理Ｓ３０２で地上波放送を視聴中と判断されたときは処理Ｓ３０４に進み、ここでは、
「地上アナログ→地上デジタル→地上アナログ→……」
と順送りに繰り返し切換えられ、地上アナログ放送と地上デジタル放送の一方を選択し、ネットワーク情報格納手段１０９では、同じく地上波ではあるが、アナログ放送とデジタル放送の何れに切換えられたかを記憶する。
【００５２】
そして、これらＳ３０３の処理とＳ３０４の処理の後は、夫々処理Ｓ３０５に移行し、ここで処理を終了する。
【００５３】
この結果、この実施形態においては、当初の地上波デジタル放送開始前は、図１（ａ）に示されているように、地上波アナログ放送を視聴中は、たとえ放送切換ボタンＢを押しても何も反応せず、アナログ放送選局ボタンの操作だけが有効にされている。
【００５４】
従って、この実施形態でも、地上波デジタル放送開始前は、図４で説明した従来技術の場合と同じで、放送切換ボタンＢは、衛星デジタル放送ネットワークの切換だけの機能に限定されている。
【００５５】
このため、地上波アナログ放送を視聴中は、たとえ放送切換ボタンＢを押したとしても、操作状況には何も変化は現れず、アナログ放送選局ボタンの操作だけでチャネル選択ができる状態になっている。
【００５６】
次に、地上波デジタル放送開始後は、この実施形態の場合、今度は、地上波放送を視聴中も放送切換ボタンＢの操作が有効になる。しかも、このときアナログ放送視聴中かデジタル放送の視聴中かには関係が無く、とにかく地上波放送を受信しているときでも放送切換ボタンＢの操作が有効にされる。
【００５７】
そして、この状態で、つまり地上波放送を受信している状態で放送切換ボタンＢを押したとすると、図１（ｂ）の右側に▲１▼として示してあるように、「地上アナログ→地上デジタル→地上アナログ→……」と順送りされる切換えが得られることになる。
【００５８】
一方、このとき衛星デジタル放送を視聴中のときは、図１（ａ）に示した地上波デジタル放送開始前のときと変わらず、図１（ｂ）の右側に▲２▼として示してあるように、「ＢＳデジタル→ＣＳ１→ＣＳ２→ＢＳデジタル→……」という切換えが得られることになる。
【００５９】
つまり、この実施形態においては、リモコン１００の放送切換ボタンＢが押された場合には、まず、いま現在、地上波放送と衛星放送の何れを視聴中かが判断され、これに応じて、地上波放送視聴中にも、放送切換ボタンＢにより、地上波アナログ放送と地上波デジタル放送の切換えが得られることになる。
【００６０】
従って、この実施形態によれば、地上波デジタル放送開始後はネットワークの切換に際しては、とにかく放送切換ボタンＢを操作すれば良く、この結果、現在視聴中のチャネルを意識することなくネットワークの切換操作が得られ、チャンネル選択の操作性を改善することができる。
【００６１】
また、上記実施形態によれは、リモコン１００に数字キー配列が２群設けてあるので、これらを地上波用と衛星放送用で区別することにより、衛星のデジタル放送から地上波のデジタル放送へ、各々の数字キーを押すだけで、地上／衛星のデジタル放送をワンタッチで切換えることを可能にすることができる。
【００６２】
また、上記実施形態では、通常の操作において、選局処理が行なわれた場合には、図３の処理Ｓ３０３又は処理Ｓ３０４において、チャンネル情報格納手段１０８（図２）に、最後に選局したチャネルの情報がラストチャンネル情報として、各ネットワーク毎に記憶され、しかも、この実施形態では、それらが数字キー配列ごとに記憶されるようになっている。
【００６３】
そこで、この実施形態では、このラストチャンネル情報をネットワーク情報格納手段１０９に記憶されるネットワーク情報と併せ用いることにより、衛星放送を視聴する場合には、それがＢＳデジタルか、ＣＳ１か、或いはＣＳ２か、とにかく最後に視聴していたネットワークの、最後に視聴していたチャンネルが、まず選局され、且つ、放送切換ボタンＢによりネットワークを切換えたときも、それぞれのネットワークで最後に視聴したチャンネルが選局されるようできる。
【００６４】
また、地上波放送を視聴する場合にも同様で、最後に視聴していたデジタルかアナログか、どちらか最後に視聴していたチャンネルがまず選局され、放送切換ボタンＢにより、デジタルとアナログを切換えたときも、それぞれで最後に視聴していたチャンネルが選局されるようにできる。
【００６５】
【発明の効果】
本発明によれば、地上波アナログ放送と衛星デジタル放送、それに地上波デジタル放送の夫々の受信に対応したデジタル放送受信装置においても、従来のリモコンを使用して、放送切換ボタンにより地上アナログと地上デジタルを切換えて視聴することができる。
【００６６】
また、このとき、地上デジタル／衛星デジタルの切換えも、対象先の数字キーの押下のみで対応することができ、便利な選局操作を得ることができる。
【００６７】
更に、切換えたネットワークと選局したチャンネルが、地上放送／衛星放送のそれぞれについて記憶されるようにすることができるので、地上放送／衛星放送の各ネットワーク毎のラストチャンネル選局が可能となる。
【図面の簡単な説明】
【図１】本発明によるデジタル放送受信装置の一実施形態を示すブロック図である。
【図２】本発明の一実施形態におけるリモコンの説明図である。
【図３】本発明の一実施形態における処理フローの説明図である。
【図４】従来技術によるリモコンの説明図である。
【図５】従来技術の一例における処理フローの説明図である。
【符号の説明】
１００　リモコン（遠隔操作用の端末機器）
１０１　チューナ処理部
１０２　選局処理部
１０３　映像音声出力部
１０４　システム制御部
１０５　放送切換処理部
１０６　入力部
１０８　チャンネル情報格納手段
１０９　ネットワーク情報格納手段
【図１】
2004147066.tif 000003
【図２】
2004147066.tif 000004
【図３】
2004147066.tif 000005
【図４】
2004147066.tif 000006
【図５】
2004147066.tif 000007